(57)【要約】【課題】性能と価格とを満足するような見積もり情報を容易に得ることができるようにする。【解決手段】ＷＷＷサーバ２は、期待性能情報をユーザ端末１から受信すると、見積もり番号を付与して期待性能情報をデータベースサーバ３に書き込み、見積もりサーバ４にサーバ製品５〜７の見積もりを指示する。見積もりサーバ４は、サーバ製品５〜７に、期待性能情報の処理項目の処理を実行させる。見積もりサーバ４は、サーバ製品５〜７のうち、期待性能を満足するものの実行結果データを取得し、その見積もり情報をデータベースサーバ３から取得して実行結果データも含めてメールサーバ８に送信する。ユーザ端末１は、メールサーバ８からこの見積もり情報を取得する。【選択図】　図１
2004133636.tif 000002
【特許請求の範囲】
【請求項１】
コンピュータ製品の価格を見積もるコンピュータ製品の見積もり装置において、
複数のコンピュータ製品の各見積もり情報を記憶する記憶部と、
複数のコンピュータ製品に、要求される期待性能を評価するための処理を実行させ、前記複数のコンピュータのなかから、前記期待性能を満足するものを選択し、選択したコンピュータ製品の見積もり情報を前記記憶部から取得する見積もり情報取得部と、を備えた、
ことを特徴とするコンピュータ製品の見積もり装置。
【請求項２】
前記見積もり情報取得部は、前記期待性能を満足するコンピュータ製品のうち、価格が最も安いものの見積もり情報を前記記憶部から取得するように構成された、
ことを特徴とする請求項１に記載のコンピュータ製品の見積もり装置。
【請求項３】
前記記憶部は、前記処理を実行した結果の実行結果データを見積もり情報に含めて記憶するように構成された、
ことを特徴とする請求項１又は２に記載のコンピュータ製品の見積もり装置。
【請求項４】
前記見積もり情報取得部は、前記期待性能と前記記憶部に記憶されている実行結果データとを比較し、前記記憶部に、前記期待性能の予め設定された近似範囲内の実行結果データが記憶されている場合、複数のコンピュータ製品に前記処理を実行させる代わりに、前記実行結果データを有するコンピュータ製品の見積もり情報を前記記憶部から取得するように構成されたものである、
ことを特徴とする請求項３に記載のコンピュータ製品の見積もり装置。
【請求項５】
前記複数のコンピュータ製品と記憶部と見積もり情報取得部とは、通信網に接続され、
前記見積もり情報取得部は、要求される期待性能を評価するための処理を、前記通信網を介して複数のコンピュータ製品に実行させ、前記複数のコンピュータ製品のなかから選択したコンピュータ製品の見積もり情報を前記通信網を介して前記記憶部から取得するように構成されたものである、
ことを特徴とする請求項１乃至４のいずれか１項に記載のコンピュータ製品の見積もり装置。
【請求項６】
前記見積もり情報取得部は、前記取得した見積もり情報を、前記通信網を介してコンピュータ製品の見積もり依頼元に送信するように構成されたものである、
ことを特徴とする請求項５に記載のコンピュータ製品の見積もり装置。
【請求項７】
コンピュータ製品の価格を見積もるコンピュータ製品の見積もりシステムにおいて、
複数のコンピュータ製品と、記憶装置と、見積もり装置と、が通信網を介して接続され、
前記記憶装置は、前記複数のコンピュータ製品の各見積もり情報を記憶し、
前記見積もり装置は、前記複数のコンピュータ製品に、要求される期待性能を評価するための処理を実行させ、前記複数のコンピュータのなかから前記期待性能を満足するものを選択し、選択したコンピュータ製品の見積もり情報を前記記憶装置から取得するように構成された、
ことを特徴とするコンピュータ製品の見積もりシステム。
【請求項８】
前記通信網に、さらに、ユーザ端末と、見積もり受付装置と、が接続され、
前記見積もり受付装置は、前記ユーザ端末から前記通信網を介して受信した期待性能情報を前記記憶装置に書き込み、前記見積もり装置にコンピュータ製品の見積もりを指示するように構成され、
前記見積もり装置は、見積もり受付装置からの指示に従って、複数のコンピュータ製品に、要求される期待性能を評価するための処理を実行させ、前記複数のコンピュータのなかから選択したコンピュータ製品の見積もり情報を前記記憶装置から取得するように構成された、
ことを特徴とする請求項７に記載のコンピュータ製品の見積もりシステム。
【請求項９】
前記見積もり受付装置は、前記期待性能と前記記憶部に記憶されている実行結果データとを比較し、前記記憶装置に、前記期待性能の予め設定された近似範囲内の実行結果データが記憶されている場合、前記見積もり装置にコンピュータ製品の見積もりを指示する代わりに、前記実行結果データを有するコンピュータ製品の見積もり情報を前記記憶部から取得して、前記ユーザ端末に送信するように構成されたものである、
ことを特徴とする請求項８に記載のコンピュータ製品の見積もりシステム。
【請求項１０】
コンピュータ製品の価格を見積もるコンピュータ製品の見積もり方法であって、
複数のコンピュータ製品に、要求される期待性能を評価するための処理を実行させるステップと、
前記複数のコンピュータのなかから、前記期待性能を満足するものを選択するステップと、
選択したコンピュータ製品の予め記憶されている見積もり情報を取得するステップと、を備えた、
ことを特徴とするコンピュータ製品の見積もり方法。
【請求項１１】
コンピュータに、
複数のコンピュータ製品に、要求される期待性能を評価するための処理を実行させる手順、
前記複数のコンピュータのなかから、前記期待性能を満足するものを選択する手順、
選択したコンピュータ製品の予め記憶されている見積もり情報を取得する手順、
を実行させるためのプログラム。
【発明の詳細な説明】
【０００１】
【発明の属する技術分野】
本発明は、コンピュータ製品の見積もり装置、コンピュータ製品の見積もりシステム、コンピュータ製品の見積もり方法及びプログラムに関する。
【０００２】
【従来の技術】
大型のコンピュータシステムでは、ユーザの要求に応じた情報処理システムを自動的に構築するようなシステム構築機構がある（例えば、特許文献１参照）。
【０００３】
このシステム構築機構では、記憶装置が情報処理システムに必要される構成要素を予め記憶する。システム構築機構は、要求されるシステムの仕様と条件とが入力されると、このような仕様と条件とを満足するような構成要素を記憶装置から抽出する。そして、システム構築機構は、抽出した構成要素に基づいてシステムを構築し、システムの諸元を一覧にしたシステム諸元表と、構成要素を一覧にした構成表と、を出力する。
【０００４】
前述の条件には、価格制限を含めることができる。記憶装置に各構成要素の価格を予め記憶させ、価格制限をユーザの要求条件に含めることにより、システム構築機構は、ユーザが要求する仕様と条件とを満足するようなシステムの見積もりを行うことができる。
【０００５】
【特許文献１】
特開２０００−２０５６８号公報
【０００６】
【発明が解決しようとする課題】
しかし、製品として販売されているコンピュータでは、価格は容易に判別できるものの、実際にある処理を行った場合の性能を容易に判別することはできない。このため、コンピュータ製品の購入後に性能面でのトラブル発生といった問題も起こりうる。
【０００７】
本発明は、このような従来の問題点に鑑みてなされたもので、性能と価格とを満足するような見積もり情報を容易に得ることが可能なコンピュータ製品の見積もり装置、コンピュータ製品の見積もりシステム、コンピュータ製品の見積もり方法及びプログラムを提供することを目的とする。
【０００８】
【課題を解決するための手段】
この目的を達成するため、本発明の第１の観点に係るコンピュータ製品の見積もり装置は、
コンピュータ製品の価格を見積もるコンピュータ製品の見積もり装置において、
複数のコンピュータ製品の各見積もり情報を記憶する記憶部と、
複数のコンピュータ製品に、要求される期待性能を評価するための処理を実行させ、前記複数のコンピュータのなかから、前記期待性能を満足するものを選択し、選択したコンピュータ製品の見積もり情報を前記記憶部から取得する見積もり情報取得部と、を備えたものである。
【０００９】
このような構成によれば、見積もり情報取得部が、複数のコンピュータ製品に、要求される期待性能を評価するための処理を実行させるため、性能と価格とを満足するような見積もり情報を容易に得ることが可能となる。
【００１０】
前記見積もり情報取得部は、前記期待性能を満足するコンピュータ製品のうち、最も価格が安いものの見積もり情報を前記記憶部から取得するように構成されたものであってもよい。
【００１１】
前記記憶部は、前記処理を実行した結果の実行結果データを見積もり情報に含めて記憶するように構成されたものであってもよい。
【００１２】
前記見積もり情報取得部は、前記期待性能と前記記憶部に記憶されている実行結果データとを比較し、前記記憶部に、前記期待性能の予め設定された近似範囲内の実行結果データが記憶されている場合、複数のコンピュータ製品に前記処理を実行させる代わりに、前記実行結果データを有するコンピュータ製品の見積もり情報を前記記憶部から取得するように構成されたものであってもよい。
【００１３】
前記複数のコンピュータ製品と記憶部と見積もり情報取得部とは、通信網に接続され、
前記見積もり情報取得部は、要求される期待性能を評価するための処理を、前記通信網を介して複数のコンピュータ製品に実行させ、前記複数のコンピュータ製品のなかから選択したコンピュータ製品の見積もり情報を前記通信網を介して前記記憶部から取得するように構成されたものであってもよい。
【００１４】
前記見積もり情報取得部は、前記取得した見積もり情報を、前記通信網を介してコンピュータ製品の見積もり依頼元に送信するように構成されたものであってもよい。
【００１５】
本発明の第２の観点に係るコンピュータ製品の見積もりシステムは、
コンピュータ製品の価格を見積もるコンピュータ製品の見積もりシステムにおいて、
複数のコンピュータ製品と、記憶装置と、見積もり装置と、が通信網を介して接続され、
前記記憶装置は、前記複数のコンピュータ製品の各見積もり情報を記憶し、
前記見積もり装置は、前記複数のコンピュータ製品に、要求される期待性能を評価するための処理を実行させ、前記複数のコンピュータのなかから前記期待性能を満足するものを選択し、選択したコンピュータ製品の見積もり情報を前記記憶装置から取得するように構成されたものである。
【００１６】
前記通信網に、さらに、ユーザ端末と、見積もり受付装置と、が接続され、
前記見積もり受付装置は、前記ユーザ端末から前記通信網を介して受信した期待性能情報を前記記憶装置に書き込み、前記見積もり装置にコンピュータ製品の見積もりを指示するように構成され、
前記見積もり装置は、見積もり受付装置からの指示に従って、複数のコンピュータ製品に、要求される期待性能を評価するための処理を実行させ、前記複数のコンピュータのなかから選択したコンピュータ製品の見積もり情報を前記記憶装置から取得するように構成されたものであってもよい。
【００１７】
前記見積もり受付装置は、前記期待性能と前記記憶部に記憶されている実行結果データとを比較し、前記記憶装置に、前記期待性能の予め設定された近似範囲内の実行結果データが記憶されている場合、前記見積もり装置にコンピュータ製品の見積もりを指示する代わりに、前記実行結果データを有するコンピュータ製品の見積もり情報を前記記憶部から取得して、前記ユーザ端末に送信するように構成されたものであってもよい。
【００１８】
本発明の第３の観点に係るコンピュータ製品の見積もり方法は、
コンピュータ製品の価格を見積もるコンピュータ製品の見積もり方法であって、
複数のコンピュータ製品に、要求される期待性能を評価するための処理を実行させるステップと、
前記複数のコンピュータのなかから、前記期待性能を満足するものを選択するステップと、
選択したコンピュータ製品の予め記憶されている見積もり情報を取得するステップと、を備えたものである。
【００１９】
本発明の第３の観点に係るプログラムは、
コンピュータに、
複数のコンピュータ製品に、要求される期待性能を評価するための処理を実行させる手順、
前記複数のコンピュータのなかから、前記期待性能を満足するものを選択する手順、
選択したコンピュータ製品の予め記憶されている見積もり情報を取得する手順、
を実行させるためのものである。
【００２０】
【発明の実施の形態】
以下、本発明の実施の形態に係るコンピュータ製品の見積もりシステムを図面を参照して説明する。尚、本発明の実施の形態では、コンピュータ製品をサーバ製品として説明する。
【００２１】
まず、第１の実施の形態について説明する。
第１の実施の形態に係るサーバ製品の見積もりシステムの構成を図１に示す。第１の実施の形態に係るサーバ製品の見積もりシステムは、ユーザ端末１と、ＷＷＷサーバ２と、データベースサーバ３と、見積もりサーバ４と、サーバ製品５と、サーバ製品６と、サーバ製品７と、メールサーバ８と、から構成されている。
【００２２】
ユーザ端末１と、ＷＷＷサーバ２と、データベースサーバ３と、サーバ製品５〜７と、見積もりサーバ４とは、インターネット１００を介して相互に接続される。
【００２３】
ユーザ端末１は、販売対象であるサーバ製品５〜７の注文者が使用するコンピュータ等の情報処理装置である。
ユーザ端末１は、図２に示すように、制御装置１１と、記憶装置１２と、入力装置１３と、表示装置１４と、送受信装置１５と、を備えたコンピュータである。
【００２４】
記憶装置１２は、ＨＤＤ（Ｈａｒｄ　Ｄｉｓｋ　Ｄｒｉｖｅ）等からなり、見積もり処理に必要なプログラムとデータとを記憶する。
【００２５】
制御装置１１は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等を備え、ユーザ端末１全体を制御するものである。制御装置１１は、記憶装置１２に記憶されたプログラムに従って、処理を実行する。
【００２６】
入力装置１３は、キーボード、マウス等のように、データを入力するためのものである。
【００２７】
表示装置１４は、液晶ディスプレイ等を備え、ＷＷＷサーバ２がインターネット１００上に提供している見積もりホームページ、あるいは、見積もり結果を表示するためのものである。
【００２８】
見積もりホームページには、図３に示すように、期待性能情報の入力欄とユーザ情報の入力欄とがある。表示装置１４は、ユーザが入力装置１３に入力した期待性能とユーザ情報とを、各入力欄に表示する。
【００２９】
ユーザ情報は、注文者の氏名と、連絡先又はメールアドレスと、からなる。期待性能情報は、ユーザが要求する性能を示す情報であり、処理項目とその実行パラメータとを含む。この場合、実行パラメータは、処理項目毎の実行件数、希望処理時間等である。
【００３０】
処理項目は、サーバ製品５〜７に期待性能を評価するために行う処理内容を示すものである。実行件数は、実行する処理件数を示すデータである。希望処理時間は、各処理項目の処理を実行する際に、ユーザが希望する処理時間である。
【００３１】
送受信装置１５は、ＷＷＷサーバ２の見積もりホームページのデータ、見積もり情報を受信したり、ユーザによって入力された期待性能情報とユーザ情報とをＷＷＷサーバ２に送信したりするものであって、インターネット１００に接続されている。
【００３２】
ＷＷＷ（Ｗｏｒｌｄ　Ｗｉｄｅ　Ｗｅｂ）サーバ２は、サーバ製品の販売者によって使用されるワークステーション・サーバ等の情報処理装置である。ＷＷＷサーバ２は、ユーザ端末１と同様に、制御装置と、記憶装置と、入力装置と、表示装置と、送受信装置とを備える（図示せず）。ＷＷＷサーバ２は、ユーザ端末１が送信した期待性能情報とユーザ情報とを受け取ると、見積もり番号を生成し、受け取った期待性能情報とユーザ情報とに、生成した見積もり番号を付与する。
【００３３】
見積もり番号は、期待性能情報とユーザ情報を識別するための情報であり、ＷＷＷサーバ２は、各見積もり毎に見積もり番号を付与する。ＷＷＷサーバ２は、さらに、見積もり番号を付与した期待性能情報とユーザ情報とをデータベースサーバ３に書き込み、見積もりサーバ４に見積もりを指示する。ＷＷＷサーバ２に備えられた記憶装置は、このような処理を実行するためのプログラムを記憶する。
【００３４】
データベースサーバ（図中、「ＤＢサーバ」と記す。）３は、データベースソフトウェアを使用してデータ処理を行うワークステーション・サーバ等の情報処理装置である。
【００３５】
データベースサーバ３は、ユーザ端末１と同様に、制御装置と、記憶装置と、入力装置と、表示装置と、送受信装置とを備える（図示せず）。データベースサーバ３は、記憶装置に、あらかじめサーバ製品の価格および詳細な諸元を含むサーバ製品情報を格納する。
【００３６】
また、データベースサーバ３は、ＷＷＷサーバ２によって書き込まれた見積もり番号、期待性能情報およびユーザ情報を記憶装置に格納する。
【００３７】
サーバ製品５、６、７は、販売者によって販売される情報処理装置であり、ユーザ端末１と同様に、制御装置と、記憶装置と、入力装置と、表示装置と、送受信装置とを備える（図示せず）。
【００３８】
本発明の実施の形態では、サーバ製品５〜７をデータベース専用のサーバとする。また、本発明の実施の形態では、サーバ製品５〜７の価格、諸元を図４に示す通りとする。この例では、性能はサーバ製品５，６，７の順に高くなる。それに伴い、価格もサーバ製品５，６，７の順に高くなる。
【００３９】
サーバ製品５〜７は、データベースサーバ３に格納された期待性能情報を取得し、その実行パラメータに従って期待性能情報で指定された処理を実行する。サーバ製品５〜７は、指定された処理を実行すると、その実行結果として、処理の開始から終了までに要した処理時間を処理項目毎に計測し、計測した処理時間をデータベースサーバ３に格納する。サーバ製品５〜７に備えられた記憶装置は、このような処理を実行するためのプログラムを記憶する。
【００４０】
見積もりサーバ４は、サーバ製品の販売者によって使用される見積もりを行うためのワークステーション・サーバ等の情報処理装置である。見積もりサーバ４は、ユーザ端末１と同様に、制御装置と、記憶装置と、入力装置と、表示装置と、送受信装置と、を備える（図示せず）。見積もりサーバ４は、データベースサーバ３に格納された各サーバ製品５〜７の実行結果と期待性能情報とを比較して、サーバ製品５〜７の中から、注文者が要求する期待性能を満たすものを選択する。
【００４１】
また、見積もりサーバ４は、選択されたサーバが複数ある場合はデータベースサーバ３に格納されたサーバ製品情報から該当するサーバの価格を比較して最も安価なサーバを選択する。
【００４２】
見積もりサーバ４は、次に、データベースサーバ３に格納されたサーバ製品情報から、該当する価格および諸元情報を選択し、実行結果と合わせて見積もり情報（見積もり結果）を生成する。
【００４３】
見積もり情報は、注文者に最適なサーバ製品を提示する情報であり、サーバ製品の製品名と、価格と、諸元と、該サーバ製品の実行結果を含む。
【００４４】
見積もりサーバ４は、さらに、生成した見積もり情報をデータベースサーバ３に格納されたユーザ情報で指定されたメールアドレスを用いて送信する。また、見積もりサーバ４は、送信した見積もり情報をデータベースサーバ３に書き込む。見積もりサーバ４に備えられた記憶装置は、これらの処理を実行するためのプログラムを記憶する。
【００４５】
メールサーバ８は、見積もりサーバ４から受信した見積もり情報を格納するためのコンピュータである。メールサーバ８は、見積もり情報を格納するための記憶装置と、送受信装置と、を備える（図示せず）。
【００４６】
次に第１の実施の形態に係るサーバ製品の見積もりシステムの動作を、図５と図６とに示すフローチャートに基づいて説明する。
ユーザ端末１は、ネットワーク１００を介して、ＷＷＷサーバ２にアクセスして見積もり依頼をする（ステップＳ１１）。
【００４７】
ＷＷＷサーバ２は、ユーザ端末１のアクセスに応答して、見積もりホームページのデータをユーザ端末１に送信する（ステップＳ１２）。
【００４８】
ユーザ端末１は、見積もりホームページを表示装置１４に表示する（ステップＳ１３）。
ユーザ端末１は、ユーザによって期待性能情報とユーザ情報とが入力されると、入力された情報をＷＷＷサーバ２に送信する（ステップＳ１４）。
【００４９】
ＷＷＷサーバ２は、ユーザ端末１からの期待性能情報とユーザ情報とを受信すると、見積もり番号を生成する（ステップＳ１５）。
【００５０】
ＷＷＷサーバ２は、生成した見積もり番号を期待性能情報とユーザ情報とに付与して、この期待性能情報とユーザ情報とを、インターネット１００を介してデータベースサーバ３に書き込む（ステップＳ１６）。
【００５１】
ＷＷＷサーバ２は、インターネット１００を介して見積もりサーバ４に見積もり番号を送信し、見積もりの実行を指示する（ステップＳ１７）。
見積もりサーバ４は、インターネット１００を介してサーバ製品５〜７に見積もり番号を送信し、見積もり番号で識別される処理の実行を指示する（ステップＳ１８）。
【００５２】
サーバ製品５〜７は、インターネット１００を介して、データベースサーバ３に格納された期待性能情報を、見積もり番号に従って取得する（ステップＳ１９）。
サーバ製品５〜７は、取得した期待性能情報の実行パラメータを用い、各処理項目毎に処理を実行する（ステップＳ２０）。
【００５３】
サーバ製品５〜７は、実行結果のデータを、インターネット１００を介して、各処理項目毎にデータベースサーバ３に格納する（ステップＳ２１）。
【００５４】
見積もりサーバ４は、インターネット１００を介してデータベースサーバ３から、格納されている期待性能情報と実行結果とを取得する。そして、見積もりサーバ４は、各サーバ製品５〜７の実行結果データを比較する。そして、見積もりサーバ４は、サーバ製品５〜７のなかから、ユーザが希望する期待性能情報を満たすものを選択する（ステップＳ２２）。
【００５５】
見積もりサーバ４は、データベースサーバ３から、ユーザが希望する期待性能情報を満たすサーバ製品の装置価格を取得する。そして、見積もりサーバ４は、各装置価格を比較し、最も装置価格が安いサーバ製品を選択する（ステップＳ２３）。
【００５６】
見積もりサーバ４は、データベースサーバ３に格納されたユーザ情報、期待性能情報、実行結果を参照して見積もり情報を生成する。そして、見積もりサーバ４は、ユーザ情報に記載されたメールアドレスを用い、インターネット１００を介してメールサーバ８に見積もり情報を送信する（ステップＳ２４）。
【００５７】
見積もりサーバ４は、送信した見積もり情報を、インターネット１００を介してデータベースサーバ３に書き込む（ステップＳ２５）。
一方、メールサーバ８は、見積もりサーバ４から送信された見積もり情報を受信して、備えられた記憶装置に格納する（ステップＳ２６）。
【００５８】
ユーザ端末１は、インターネット１００を介してメールサーバ８から見積もり情報を取得する（ステップＳ２７）。
このようにして、ユーザ端末１は、サーバ製品５〜７のうち、期待性能を満足するものの見積もり情報を取得する。そして、ユーザ端末１は、取得した見積もり情報を表示装置１４に表示する。
【００５９】
次に、この見積もり処理を、図７〜図１１に基づいて具体的に説明する。
ＷＷＷサーバ２は、ユーザ端末１からのアクセス（ステップＳ１１の処理）に応答して、図３に示すような見積もりホームページのデータを送信する（ステップＳ１２の処理）。
【００６０】
見積もりホームページにおいて、ユーザ端末１のユーザによって入力された期待性能情報とユーザ情報との入力例を図７に示す。処理項目は、Ａ〜Ｃの３つであり、処理項目Ａ、Ｂ、Ｃは、それぞれ、レコード削除処理、レコード追加処理、検索処理＆更新処理である。処理項目Ａについては、レコード削除処理を３００００件実行する処理時間として、２時間以下が要求されている。また、処理項目Ｂについては、レコード追加処理を３００００件実行する処理時間として、２時間以下が要求されている。処理項目Ｃについては、検索処理と更新処理とを５０００件実行する処理時間として、１時間以下が要求されている。
【００６１】
ユーザ端末１は、このような期待性能情報とユーザ情報とをＷＷＷサーバ２に送信する（ステップＳ１４に対応）。
ＷＷＷサーバ２は、この期待性能情報とユーザ情報とを受信して、図８に示すような見積もり番号「０００００１」を生成する（ステップＳ１５の処理）。
【００６２】
ＷＷＷサーバ２は、生成した見積もり番号「０００００１」を期待性能情報とユーザ情報とに付与する。ＷＷＷサーバ２は、見積もり番号「０００００１」の期待性能情報とユーザ情報とをインターネット１００を介してデータベースサーバ３に書き込む（ステップＳ１６の処理）。
【００６３】
ＷＷＷサーバ２は、期待性能情報とユーザ情報とをデータベースサーバ３に書き込むと、見積もりサーバ４に、見積もり番号を送信して見積もりの実行を指示し（ステップＳ１７の処理）、見積もりサーバ４は、サーバ製品５〜７に、期待性能情報に基づく処理の実行を指示する（ステップＳ１８の処理）。
【００６４】
サーバ製品５〜７は、データベースサーバ３から見積もり番号と期待性能情報とを取得し（ステップＳ１９の処理）、実行パラメータを用いて処理項目Ａ〜Ｃの各処理を、順次、実行する（ステップＳ２０の処理）。
【００６５】
サーバ製品５〜７は、実行結果を各処理項目Ａ〜Ｃ毎にデータベースサーバ３に格納する（ステップＳ２１の処理）。
【００６６】
見積もりサーバ４は、データベースサーバ３に格納された実行結果を比較する。
その実行結果の一例を図９に示す。また、そのグラフを図１０に示す。
【００６７】
実行により、図９に示すような実行結果が得られたとする。
図１０（ａ）〜（ｃ）に示すように、サーバ製品５は処理項目Ａ、Ｂ、Ｃの処理に、それぞれ、２時間３０分、２時間３０分、２時間を要している。従って、サーバ製品５は、ユーザが希望する期待性能情報を満たしていないことになる。
【００６８】
これに対して、サーバ製品６は、処理項目Ａ、Ｂ、Ｃの処理に、それぞれ、１時間３０分、１時間３０分、３０分を要している。また、サーバ製品７は、処理項目Ａ、Ｂ、Ｃの処理に、それぞれ、１時間、１時間、１５分を要している。即ち、サーバ製品６とサーバ製品７とは、ユーザの期待性能を満たしていることになる。
【００６９】
従って、見積もりサーバ４は、ユーザの期待性能を満たすサーバ製品として、サーバ製品６，７を選択する（ステップＳ２２の処理）。
【００７０】
次に、サーバ製品６とサーバ製品７との価格を比較すると、図４に示すように、サーバ製品６は、サーバ製品７よりも安い。従って、見積もりサーバ４は、サーバ製品６とサーバ製品７とのうち、価格の安いサーバ製品６を選択する（ステップＳ２３の処理）。尚、もし、サーバ製品が１つであれば、このステップは省略する。
【００７１】
見積もりサーバ４は、サーバ製品６を選択すると、サーバ製品６についての図１１に示すような見積もり情報を作成する。
見積もりサーバ４は、作成した見積もり情報をメールサーバ８に送信する（ステップＳ２４の処理）。
【００７２】
また、見積もりサーバ４は、インターネット１００を介して、サーバ製品６についての見積もり情報をデータベースサーバ３に書き込む（ステップＳ２５の処理）。
【００７３】
一方、メールサーバ８は、サーバ製品６の見積もり情報を格納する（ステップＳ２６）。ユーザ端末１は、メールサーバ８から、サーバ製品６の見積もり情報を取得する（ステップＳ２７の処理）。この見積もり情報を参照すると、サーバ製品６がユーザの期待性能を満足するものであって、しかも、価格が安いものであることがユーザによって判別される。
【００７４】
以上説明したように、第１の実施の形態によれば、ユーザが要求する期待性能情報に基づいて、サーバ製品に期待性能を評価するための処理を実行させて、期待性能を満足し、しかもそのうち、最も安いサーバ製品を選択するようにした。従って、性能と価格とを満足する見積もり情報を容易に得ることができる。
【００７５】
従って、サーバ製品の購入後に性能面でのトラブルといった問題を回避することができる。また、一般的な企業においてサーバ製品を購入するためには事前にサーバ製品を購入するための予算を計上する必要がある。このため、インターネット１００上でユーザが性能を指定できる見積もりシステムは非常に有効である。
【００７６】
次に、第２の実施の形態について説明する。
第２の実施の形態に係るサーバ製品の見積もりシステムは、データベースサーバに見積もり依頼と近似する実行結果データが既に格納されている場合、このサーバ製品の見積もり情報をユーザ端末１に送信するようにしたものである。
【００７７】
第２の実施の形態に係るサーバ製品の見積もりシステムの構成は、図１に示す構成と同じである。
但し、ＷＷＷサーバ２は、ユーザ端末１からのアクセスがあった場合、図１２に示すようなホームページのデータを送信する。このホームページでは、希望処理時間に加え、その許容時間も入力できるようになっている。
【００７８】
次に第２の実施の形態に係るサーバ製品の見積もりシステムにおけるユーザ端末１、ＷＷＷサーバ２、データベースサーバ３、メールサーバ８の動作を、図１３のフローチャートに基づいて説明する。
【００７９】
ユーザ端末１は、第１の実施の形態と同様に、ＷＷＷサーバ２へアクセスすると（ステップＳ３１）、ＷＷＷサーバ２は、見積もりホームページのデータをユーザ端末１に送信する（ステップＳ３２）。
【００８０】
ユーザ端末１は、図１２に示す見積もりホームページを表示装置１４に表示する（ステップＳ３３）。
ユーザ端末１は、許容時間も含めて期待性能情報とユーザ情報とがユーザによって入力されると、入力された期待性能情報とユーザ情報とをＷＷＷサーバ２に送信する（ステップＳ３４）。
【００８１】
ＷＷＷサーバ２は、見積もり番号を生成する（ステップＳ３５）。
ＷＷＷサーバ２は、受信した期待性能情報をデータベースサーバ３に格納された実行結果と順次比較する（ステップＳ３６）。
【００８２】
ＷＷＷサーバ２は、受信した期待性能情報がデータベースサーバ３に格納されている実行結果と一致又は近似するか否かを判定する（ステップＳ３７）。
【００８３】
受信した期待性能情報がデータベースサーバ３に格納されている実行結果と近似しない判定した場合（ステップＳ３７においてＮｏ）、ユーザ端末１と各サーバ２〜８は、第１の実施の形態と同様に、図６のステップＳ１７以降の処理を実行する。
【００８４】
一方、受信した期待性能情報がデータベースサーバ３に格納されている実行結果と一致又は近似していると判定した場合（ステップＳ３７においてＹｅｓ）、ＷＷＷサーバ２は、この実行結果を有するサーバ製品のデータに基づいて見積もり情報を生成する（ステップＳ３８）。
【００８５】
ＷＷＷサーバ２は、生成した見積もり情報をメールサーバ８に送信する（ステップＳ３９）。
ＷＷＷサーバ２は、送信した見積もり情報をデータベースサーバ３に書き込む（ステップＳ４０）。
【００８６】
メールサーバ８は、ＷＷＷサーバ２から受信した見積もり情報を記憶装置に格納する（ステップＳ４１）。
ユーザ端末１は、見積もり情報をメールサーバ８から取得し、取得した見積もり情報を表示装置１４に表示する（ステップＳ４２）。
【００８７】
次に、第２の実施の形態に係るサーバ製品の見積もりシステムについての具体的な動作を、図１４，１５に基づいて説明する。
尚、データベースサーバ３は、第１の実施の形態で実行した結果として、図１１に示すサーバ製品６の見積もり情報を格納しているものとする。
【００８８】
ＷＷＷサーバ２は、ユーザ端末１からのアクセスがあった場合、図１２に示すようなホームページのデータを送信する（ステップＳ３２の処理）。
【００８９】
この場合の期待性能情報とユーザ情報との入力例を図１４に示す。
この図１４に示すように、処理項目Ａ〜Ｃは、第１の実施の形態の各処理項目と同じである。
【００９０】
また、処理項目Ｂ，Ｃの実行パラメータも第１の実施の形態の実行パラメータと同一である。処理項目Ａの実行パラメータのみが第１の実施の形態の実行パラメータと相違する。
【００９１】
即ち、第２の実施の形態では、処理項目Ａについて、処理件数は、第１の実施の形態の処理件数よりも１０００件多く、３１０００件になっている。希望処理時間は、１時間３０分である。但し、希望処理時間は、１時間３５分まで許容される。
【００９２】
ユーザ端末１は、このような期待性能情報とユーザ情報とを入力したものとすると、この期待性能情報とユーザ情報とをＷＷＷサーバ２に送信する（ステップＳ３４の処理）。ＷＷＷサーバ２は、この見積もり依頼を受信して、見積もり依頼に見積もり番号「０００００２」を付与する（ステップＳ３５の処理）。
【００９３】
また、ＷＷＷサーバ２は、近似範囲を含めて受信した期待性能情報とデータベースサーバ３に格納されている性能情報とを比較する（ステップＳ３６の処理）。
【００９４】
図１４に示す例において、小数点以下３桁までを有効数字とすると、１件当たりの処理時間は０．１７４秒になる。許容時間まで含めると、希望処理時間は１時間３５分までとなる。この場合、１件当たりの処理時間は、０．１８４秒となる。即ち、１件当たりの処理時間が０．１８４秒以下であれば、データベースサーバ３に格納されている性能は、受信した期待性能の近似範囲となる。
【００９５】
一方、サーバ６の処理項目Ａの処理時間は、１件当たり０．１８０秒である。この処理時間は、近似範囲０．１８０秒内である。従って、ＷＷＷサーバ２は、受信した期待性能とデータベースサーバ３に格納されているサーバ６の実行結果とは近似していると判定する（ステップＳ３７の処理）。
【００９６】
ＷＷＷサーバ２は、このように判定すると、サーバ製品６の見積もり情報をデータベースサーバ３から取得する。
【００９７】
そして、ＷＷＷサーバ２は、サーバ６が処理項目Ａの処理を実行した場合の処理時間を求める。その処理時間は、１時間３３分になる。ＷＷＷサーバ２は、見積もりサーバ４の代わりに、図１５に示すような見積もり情報を生成する（ステップＳ３８の処理）。
【００９８】
ＷＷＷサーバ２は、生成した見積もり情報をメールサーバ８に送信するとともに、作成した見積もり情報をデータベースサーバ３に書き込む（ステップＳ３９，４０の処理）。
【００９９】
メールサーバ８は、ＷＷＷサーバ２から受信した見積もり情報を格納する（ステップＳ４１）。
ユーザ端末１は、この見積もり情報をメールサーバ８から取得して表示装置１４に表示する（ステップＳ４２の処理）。
【０１００】
以上説明したように、第２の実施の形態によれば、受信した期待性能情報と一致又は近似する実行結果がデータベースサーバ３に格納されている場合、ＷＷＷサーバ２は、サーバ製品５〜７は、処理を実行しないので、その分、ユーザ端末１に対して、見積もり情報を速やかに提示することができる。
【０１０１】
尚、本発明を実施するにあたっては、種々の形態が考えられ、上記実施の形態に限られるものではない。
例えば、上記実施の形態では、見積もり情報を格納するためのメールサーバ８を備えるようにした。しかし、例えば、ＷＷＷサーバ２にメールサーバ８の機能を付加することにより、メールサーバ８を省略することができる。また、見積もりサーバ４等が、見積もりの依頼元であるユーザ端末１に、直接、見積もり情報を送るようにすることもできる。
【０１０２】
また、上記実施の形態では、通信網をインターネットとして説明した。しかし、通信網は、これに限られるものではなく、ＬＡＮ（Ｌｏｃａｌ　Ａｒｅａ　Ｎｅｔｗｏｒｋ　）、ＷＡＮ（Ｗｉｄｅ　Ａｒｅａ　Ｎｅｔｗｏｒｋ）等であってもよい。
【０１０３】
また、上記実施の形態では、データベースサーバ３を備え、データベースサーバ３にサーバ製品５〜７の各見積もり情報等を記憶するようにした。しかし、データベースサーバ３を備えずに、見積もりサーバ４内の記憶装置に見積もり情報等を記憶することもできる。
【０１０４】
また、上記実施の形態では、見積もりサーバ４は、期待性能を満足するサーバ製品のうち、価格が最も安いものを選択するようにした。しかし、見積もりサーバ４が期待性能を満足するサーバ製品の見積もり情報をすべて提示し、ユーザがそのなかから選択するように構成することもできる。
【０１０５】
また、第２の実施の形態では、許容時間をユーザが指定できるようにした。しかし、これに限られるものではなく、ＷＷＷサーバ２が許容時間を予め設定するようにすることもできる。
【０１０６】
また、コンピュータを、再生装置の全部又は一部として動作させ、あるいは、上述の処理を実行させるためのプログラムを、フレキシブルディスク、ＣＤ−ＲＯＭ（Ｃｏｍｐａｃｔ　Ｄｉｓｋ　Ｒｅａｄ−Ｏｎｌｙ　Ｍｅｍｏｒｙ）、ＤＶＤ（Ｄｉｇｉｔａｌ　Ｖｅｒｓａｔｉｌｅ　Ｄｉｓｋ）などのコンピュータ読み取り可能な記録媒体に格納して配布し、これをコンピュータにインストールし、上述の手段として動作させ、あるいは、上述の工程を実行させてもよい。さらに、インターネット上のサーバ装置が有するディスク装置等にプログラムを格納しておき、例えば、搬送波に重畳させて、コンピュータにダウンロード等するものとしてもよい。
【０１０７】
【発明の効果】
以上説明したように、本発明によれば、性能と価格とを満足するような見積もり情報を容易に得ることができる。
【図面の簡単な説明】
【図１】本発明の第１の実施の形態に係るサーバ製品の見積もりシステムの構成を示すブロック図である。
【図２】図１のユーザ端末等の構成を示すブロック図である。
【図３】図１のＷＷＷサーバがユーザ端末に送信する見積もりホームページを示す説明図である。
【図４】図１のＤＢサーバに記憶されているサーバの諸元を示す説明図である。
【図５】図１のサーバ製品の見積もりシステムの動作を示すフローチャート（その１）である。
【図６】図１のサーバ製品の見積もりシステムの動作を示すフローチャート（その２）である。
【図７】図１の期待性能情報とユーザ情報が入力された見積もりホームページの具体例を示す説明図である。
【図８】図１のＷＷＷサーバがユーザ端末から受信した期待性能情報を示す説明図である。
【図９】図１のサーバ製品が期待性能を評価するための処理を実行した場合の具体的な結果を示す説明図である。
【図１０】図１のサーバ製品が期待性能を評価するための処理を実行した場合の具体的な結果のグラフを示す説明図である。
【図１１】図１の見積もりサーバが取得した見積もり情報を示す説明図である。
【図１２】第２の実施の形態に係るサーバ製品の見積もりシステムにおいて、ＷＷＷサーバがユーザ端末に送信する見積もりホームページの具体例を示す説明図である。
【図１３】第２の実施の形態に係るサーバ製品の見積もりシステムの動作を示すフローチャートである。
【図１４】第２の実施の形態に係るサーバ製品の見積もりシステムにおいて、期待性能情報とユーザ情報が入力された見積もりホームページの具体例を示す説明図である。
【図１５】第２の実施の形態において、図１の見積もりサーバが取得した見積もり情報を示す説明図である。
【符号の説明】
１　ユーザ端末
２　ＷＷＷサーバ
３　データベースサーバ
４　見積もりサーバ
５〜７　サーバ製品
８　メールサーバ
【図１】
2004133636.tif 000003
【図２】
2004133636.tif 000004
【図３】
2004133636.tif 000005
【図４】
2004133636.tif 000006
【図５】
2004133636.tif 000007
【図６】
2004133636.tif 000008
【図７】
2004133636.tif 000009
【図８】
2004133636.tif 000010
【図９】
2004133636.tif 000011
【図１０】
2004133636.tif 000012
【図１１】
2004133636.tif 000013
【図１２】
2004133636.tif 000014
【図１３】
2004133636.tif 000015
【図１４】
2004133636.tif 000016
【図１５】
2004133636.tif 000017